(57)【要約】【課題】首を完全に覆い、首の傷跡を隠すことができるネックカバーおよび衣装セットを提供する。【解決手段】ネックカバー１１のスカーフ本体２１に、人体の首に巻いた状態で人体の左右の耳にそれぞれ引っ掛け可能な１対の耳掛け部を有する。スカーフ本体２１は帯状であって、長手方向に沿った一方の縁部の互いに所定の間隔離れた２箇所にゴム糸が縫い付けられて、１対のギャザー２１ａが形成されている。生地部分が各ギャザー２１ａの互いに遠い側の外側端部付近に縫い付けられて耳掛け部が形成されている。スカーフ本体２１は１対のうち一方の面ファスナーを有し、衣服１２が後ろ襟１２ａの内側に１対のうち他方の面ファスナーを有している。【選択図】図３
0003159483.tif 000002
【実用新案登録請求の範囲】
【請求項１】
スカーフ本体に、人体の首に巻いた状態で人体の左右の耳にそれぞれ引っ掛け可能な１対の耳掛け部を有することを、特徴とするネックカバー。
【請求項２】
前記スカーフ本体は帯状であって、長手方向に沿った一方の縁部の互いに離れた２箇所にそれぞれゴム糸が縫い付けられてギャザーが形成され、各ギャザーより他方の縁部寄りの生地部分が各ギャザー付近に三重に折り重ねられて各ギャザーの互いに遠い側の外側端部付近に縫い付けられて前記耳掛け部が形成されていることを、特徴とする請求項１記載のネックカバー。
【請求項３】
請求項１記載のネックカバーと、後ろ襟を有する衣服とを有し、
前記スカーフ本体は、各耳掛け部をそれぞれ人体の両耳に引っ掛けて人体の首に巻かれたとき首の後側に位置する箇所に１対の面ファスナーの一方を有し、
前記衣服は前記後ろ襟の内側に前記１対の面ファスナーの他方を有することを、
特徴とする衣装セット。
【考案の詳細な説明】
【技術分野】
【０００１】
本考案は、ネックカバーおよび衣装セットに関する。
【背景技術】
【０００２】
従来、遺体に装着する衣装として、死に装束や経帷子などの浴衣風の白装束が一般的に使用されている。また、近年では、ドレスやケープなどの洋装を装着させて、旅立たせることも行われるようになっている（例えば、特許文献１または２参照）。
【先行技術文献】
【特許文献】
【０００３】
【特許文献１】実用新案登録第３１４３１１０号公報
【特許文献２】実用新案登録第３１２６１７５号公報
【考案の概要】
【考案が解決しようとする課題】
【０００４】
わが国では、近年自殺者数が高い水準で推移しており、自殺の手段としては男性女性とも全年齢に渡って首吊り自殺が最も多い状況である。首吊り自殺者には、首に傷跡が残る。首吊り自殺者を弔う際、弔問客から遺体の首の傷跡を隠したいという遺族の要望がある。化粧では首の傷跡を完全に隠すことは難しいため、衣装などで首を覆い隠すことが望ましい。しかしながら、特許文献１または２に記載の衣装では、首を完全に覆うことはできず、首の傷跡を隠しきれないという課題があった。
【０００５】
本考案は、このような課題に着目してなされたもので、首を完全に覆い、首の傷跡を隠すことができるネックカバーおよび衣装セットを提供することを目的とする。
【課題を解決するための手段】
【０００６】
上記目的を達成するために、本考案に係るネックカバーは、スカーフ本体に、人体の首に巻いた状態で人体の左右の耳にそれぞれ引っ掛け可能な１対の耳掛け部を有することを、特徴とする。
【０００７】
本考案に係るネックカバーは、スカーフ本体を首に巻き、１対の耳掛け部をそれぞれ左右の耳に引っ掛けることにより、左右の耳から首にかけて被覆することができる。これにより、左右の耳の位置から顔の前方にかけて、下顎や首を覆うことができ、また、首の後ろ側も完全に覆うことができる。このため、首に傷跡がある場合であっても、首を完全に覆い、首の傷跡を隠すことができる。
【０００８】
本考案に係るネックカバーは、首に傷跡がある遺体に好適に使用することができるが、首に傷跡のない遺体や一般の人に使用してもよい。本考案に係るネックカバーは、首に巻いたスカーフ本体を留める留め具を有していてもよい。本考案に係るネックカバーは、火葬の際に有害物質を発生しない綿や絹などの可燃性の材質から成ることが好ましい。
【０００９】
本考案に係るネックカバーにおいて、前記スカーフ本体は帯状であって、長手方向に沿った一方の縁部の互いに離れた２箇所にそれぞれゴム糸が縫い付けられてギャザーが形成され、各ギャザーより他方の縁部寄りの生地部分が各ギャザー付近に三重に折り重ねられて各ギャザーの互いに遠い側の外側端部付近に縫い付けられて前記耳掛け部が形成されていることが好ましい。
この場合、ギャザーの部分が耳に掛かって縫い付けられた箇所で留まり、スカーフ本体で左右の耳から首にかけて自然な感じで被覆することができる。また、特別な器具などを用いずに、スカーフ本体を耳に引っ掛けて留めることができる。
【００１０】
本考案に係る衣装セットは、本考案に係るネックカバーと、後ろ襟を有する衣服とを有し、前記スカーフ本体は、各耳掛け部をそれぞれ人体の両耳に引っ掛けて人体の首に巻かれたとき首の後側に位置する箇所に１対の面ファスナーの一方を有し、前記衣服は前記後ろ襟の内側に前記１対の面ファスナーの他方を有することを、特徴とする。
【００１１】
本考案に係る衣装セットは、本考案に係るネックカバーの各耳掛け部をそれぞれ人体の両耳に引っ掛けてスカーフ本体を首に巻くことにより、首に傷跡がある場合であっても、首を完全に覆い、首の傷跡を隠すことができる。首に巻いたスカーフ本体の面ファスナーを、衣服の面ファスナーに留めることにより、スカーフ本体をずれにくくすることができ、首が露出するのを防ぐことができる。また、遺体に使用する場合には、スカーフ本体の面ファスナーを衣服の面ファスナーに留めることにより、スカーフ本体を装着しやすくすることができる。なお、本考案に係る衣装セットは、ドレスやケープなどの洋装であっても、和装であってもよい。
【考案の効果】
【００１２】
本考案によれば、首を完全に覆い、首の傷跡を隠すことができるネックカバーおよび衣装セットを提供することができる。
【図面の簡単な説明】
【００１３】
【図１】本考案の実施の形態のネックカバーを示す背面図である。
【図２】（ａ）本考案の実施の形態のネックカバーの使用状態を示す側面図、（ｂ）本考案の実施の形態の衣装セットの衣服の胸部から上の部分を示す正面図である。
【図３】本考案の実施の形態の衣装セットの使用状態の、胸部から上の部分を示す（ａ）側面図、（ｂ）正面図である。
【図４】本考案の実施の形態の衣装セットの留め具を有する変形例の使用状態の、胸部から上の部分を示す正面図である。
【考案を実施するための形態】
【００１４】
以下、図面に基づき本考案の実施の形態について説明する。
図１乃至図４は、本考案の実施の形態のネックカバーおよび衣装セットを示している。
図１乃至図３に示すように、本考案の実施の形態の衣装セットは、ネックカバー１１と衣服１２とを有している。
【００１５】
図１に示すように、ネックカバー１１のスカーフ本体２１は、１枚の帯状の、細長い矩形の布から成っている。スカーフ本体２１は、長手方向に沿った一方の縁部の互いに所定の間隔離れた２箇所にゴム糸が縫い付けられて、１対のギャザー２１ａが形成されている。各ギャザー２１ａより、長手方向に沿った他方の縁部寄りの生地部分が各ギャザー２１ａ付近に三重に折り重ねられ、各ギャザー２１ａの互いに遠い側の外側端部付近２１ｃに縫い付けられて耳掛け部が形成されている。外側端部付近２１ｃの縫付けは、スカーフ本体２１の長手方向に対して垂直方向に伸びている。
【００１６】
スカーフ本体２１は、長手方向に沿った他方の縁部の背面側の中央部に面ファスナー１２ｂを有している。図２（ａ）および図３に示すように、スカーフ本体２１は、人体１の首に巻いた状態で、各耳掛け部のギャザー２１ａをそれぞれ人体１の左右の耳に引っ掛けて、左右の耳から首にかけて被覆することができる。また、スカーフ本体２１は、各耳掛け部をそれぞれ人体１の両耳に引っ掛けて人体の首に巻かれたとき、首の後ろ側に位置する箇所の外面に、１対のうち一方の面ファスナー２１ｂが位置するようになっている。
【００１７】
図２（ｂ）および図３に示すように、衣服１２は、人体１に装着可能であり、後ろ襟１２ａの内側に１対のうち他方の面ファスナー１２ｂを有している。衣服１２の面ファスナー１２ｂは、人体１の首に巻いたスカーフ本体２１の面ファスナー２１ｂに着脱可能になっている。
【００１８】
なお、具体的な一例では、衣服１２はドレスであるが、ケープなどの他の洋装であってもよく、和装であってもよい。また、スカーフ本体２１は、衣服１２が男性用の場合にはサテン地、衣服１２がドレスの場合にはオーガンジーなど、衣服１２の種類に応じて材質が異なっていてもよい。また、ネックカバー１１および衣服１２は、遺体用として使用される場合には、火葬の際に有害物質を発生しない綿や絹などの可燃性の材質から成ることが好ましい。スカーフ本体２１は、一例で長さが約１４０ｃｍ、幅が約３０ｃｍである。
【００１９】
次に、作用について説明する。
本考案の実施の形態の衣装セットは、首に傷跡がある遺体に好適に使用することができるが、首に傷跡のない遺体や一般の人に使用してもよい。ネックカバー１１は、スカーフ本体２１を首に巻き、１対のギャザー２１ａをそれぞれ左右に耳に引っ掛けることにより、左右の耳から首にかけて被覆することができる。これにより、左右の耳の位置から顔の前方にかけて、下顎や首を覆うことができ、また、首の後ろ側も完全に覆うことができる。このため、首に傷跡がある場合であっても、首を完全に覆い、首の傷跡を隠すことができる。
【００２０】
特に、ネックカバー１１は、生地部分が各ギャザー２１ａ付近に三重に折り重ねられ、外側端部付近２１ｃに縫い付けられて耳掛け部が形成されているため、ギャザー２１ａの部分が耳に掛かって縫い付けられた箇所で留まり、スカーフ本体２１で左右の耳から首にかけて自然な感じで被覆することができる。また、特別な器具などを用いずに、スカーフ本体２１を耳に引っ掛けて留めることができる。
【００２１】
図３に示すように、首に巻いたスカーフ本体２１の面ファスナー２１ｂを、衣服１２の面ファスナー１２ｂに留めることにより、スカーフ本体２１をずれにくくすることができ、首が露出するのを防ぐことができる。また、遺体に使用する場合には、スカーフ本体２１の面ファスナー２１ｂを衣服１２の面ファスナー１２ｂに留めることにより、スカーフ本体２１を装着しやすくすることができる。
【００２２】
なお、図４に示すように、ネックカバー１１は、首に巻いたスカーフ本体２１を留める留め具２２を有していてもよい。この場合、留め具２２により、スカーフ本体２１を首に巻いた状態で外れないよう留めておくことができる。装飾的な留め具２２を使用した場合には、見栄えを良くすることができる。図４に示す具体的な一例で、留め具２２は、真珠を模した装飾性の高い部材から成っている。留め具２２の材質は、火葬の際に有害物質を発生しない可燃性の材質である。このような留め具２２を遺体に使用することにより、遺体の見栄えをさらに良くし、故人をより美しく着飾ることができる。また、これにより、故人との最期のお別れを心のこもった厳かなものにすることができる。
【符号の説明】
【００２３】
１  人体
１１  ネックカバー
１２  衣服
１２ａ  後ろ襟
１２ｂ  面ファスナー
２１  スカーフ本体
２１ａ  ギャザー
２１ｂ  面ファスナー
２１ｃ  外側端部付近
２２  留め具
【図１】
0003159483.tif 000003
【図２】
0003159483.tif 000004
【図３】
0003159483.tif 000005
【図４】
0003159483.tif 000006